(57)【特許請求の範囲】
【請求項１】
ページを受信するシステムであって、
（ａ）第１の受信サンプルを受信する受信手段と、
（ｂ）前記第１の受信サンプルを記憶する記憶装置と、
（ｃ）前記第１の受信サンプルが記憶された後に前記受信手段を非作動にし、そして後の時間において前記受信手段を再び作動させる手段と、
（ｄ）パイロットチャネルの相関エネルギーを検出し、そして前記第１の受信サンプル内の第１のページングチャネルを復調する強化サーチャと、そして
（ｅ）他の受信サンプル内の第２のページングチャネルを復調する復調要素と
を含むシステム。
【請求項２】
前記復調要素からのソフト決定データを復号化するデコーダをさらに含む請求項１記載のシステム。
【請求項３】
前記受信サンプルを生成するＲＦ装置をさらに含む請求項１記載のシステム。
【請求項４】
クイックページスロットの期間中前記強化サーチャを作動させ、そしてクイックページメッセージが受信された場合にフルページングスロットの期間中前記復調要素を作動させる制御装置をさらに含む請求項１記載のシステム。
【請求項５】
結合された前記強化サーチャが、
（ａ）パイロットチャネルを逆拡散する第１の処理要素と、
（ｂ）前記パイロットチャネルを逆拡散し、そして前記第１のページングチャネルを逆拡散する第２の処理要素と、
（ｃ）前記第１の処理要素からの前記パイロットチャネルを使用して前記第１のページングチャネルデータを回転させる位相調整復調回路と、そして
（ｄ）前記第２の処理要素のための相関エネルギーを計算する相関エネルギー回路と
を含む請求項１記載のシステム。
【請求項６】
該位相調整復調回路が、データとパイロット複合ベースバンド信号との間の２次元ベクトルドット積あるいはクロス積を含む請求項５のシステム。
【請求項７】
復調されたデータをダイバシティ結合する結合器回路をさらに含み、
（ａ）前記強化サーチャが、前記第１のページングチャネルに関し前記記憶されたデータ内で多重復調を実行し、そして
（ｂ）前記結合器回路が、前記多重復調からのソフト決定データを結合する請求項１記載のシステム。
【請求項８】
前記結合器がアキュムレータを含む請求項７記載のシステム。
【請求項９】
ページを受信する方法であって、
（ａ）第１の受信サンプルを受信し、
（ｂ）前記第１の受信サンプルを記憶し、
（ｃ）前記第１の受信サンプルが記憶された後に受信手段を非作動にし、そして後の時間において前記受信手段を再び作動させ、
（ｄ）パイロットチャネルの相関エネルギーを検出しそして前記第１の受信サンプル内の第１のページングチャネルを復調し、
（ｅ）他の受信サンプル内の第２のページングチャネルを復調し、そして
（ｆ）(1)前記第１のページングチャネルに関する前記記憶されたデータ内の多重復調を実行し、そして
(2)前記多重復調からのソフト決定データを結合することにより、
復調されたデータをダイバシティ結合する
工程を含む方法。
【請求項１０】
前記パイロットチャネルの相関エネルギーを検出する工程が、
（ａ）パイロットチャネルをサーチし、
（ｂ）前記パイロットチャネルを逆拡散し、
（ｃ）前記第１のページングチャネルを逆拡散し、そして
（ｄ）前記第１のページングチャネル逆拡散データを前記パイロットチャネル逆拡散データに投影することにより、前記第１のページングチャネルを復調する
工程を含む請求項９記載の方法。
【請求項１１】
前記パイロットチャネルの相関エネルギーを検出する工程が、
（ａ）パイロットチャネルを復調し、
（ｂ）前記第１のページングチャネルを復調し、
（ｃ）パイロットチャネルデータから相関エネルギーを計算し、
（ｄ）パイロットチャネルデータを使用して第１のページングチャネルデータを投影し、そして
（ｅ）前記パイロットチャネルに関する相関エネルギーを計算する
工程を含む請求項９記載の方法。
【請求項１２】
復調されたデータを結合する工程をさらに含み、
（ａ）前記第１のページングチャネルに関する前記記憶されたデータ内の多重復調が実行され、そして
（ｂ）前記復調されたデータを結合することが前記多重復調からのソフト決定データを累算する
請求項９記載の方法。
【発明の詳細な説明】
【０００１】
【発明の属する技術分野】
本発明は、無線通信に関するものである。より詳細には、本発明は、スペクトル拡散通信のページメッセージを検出する新規で、改良されたサーチャに関するものである。
【０００２】
【従来の技術】
名称が「スペクトル拡散多重アクセス通信システムのための多重パスサーチャプロセッサ」である米国特許出願第０８／３１６，１７７号（’１７７出願）では、スペクトル拡散信号を検出するサーチが記載されている。サーチャは、ＣＤＭＡシステム内で送信されるパイロットチャネルを識別するためにＣＤＭＡ方式ディジタルセルラ電話システムで使用するのに特に適している。一旦パイロットチャネルが識別されると、電話、あるいは「加入者装置」は、関連タイミング情報を使用し、ページメッセージのための監視および通信の実行なような機能を実行する。
【０００３】
’１７７のサーチャは、一般的には単一の集積回路に配置されたフィンガー要素のセットおよびデコーダと組み合わせて作動する。同時に、構成要素は、ＣＤＭＡ通信およびページ監視に必要な処理を実行する。例えば、ＣＤＭＡ信号を受信するために、サーチャは、ちょうどいい時にいろいろのオフセットでパイロットチャネルサーチする。一旦パイロットチャネルが検出されると、フィンガー要素は、ページングチャネルあるいはトラフィックチャネルのような関連データを処理するために作動される。サーチおよび信号処理を実行するために、サーチャおよびフィンガー要素は、加入者装置によって受信されたＲＦ信号に応じて発生されたサンプルを受信する。このサンプルは、一般的には、移動電話あるいは加入者装置内のＲＦ／ＩＦ装置によって発生される。
【０００４】
【発明が解決しようとする課題】
一般的には、加入者装置の電力消費を減らし、電池サイズおよび重量を減らすことが望ましい。さらに、信頼性を増加させることが望ましく、この信頼性でページおよび他のメッセージが加入者装置によって受信し、処理される。それは、本発明の他の目的にも同様である。
【０００５】
【課題を解決するための手段】
本発明は、ページングを実行する新規で、改良された方法である。本発明の一実施形態では、サーチャ（searcher）は、スペクトル拡散信号を検出するために使用される。受信されたＲＦ信号のサンプルはサンプルバッファに記憶される。スタンバイモード中、サンプルは、移動電話に割り当てられたページングスロット中収集される。サーチャのセットはサンプルで実行され、パイロット信号が検出される場合、付加復調はページングメッセージを検出するために実行される。結果として生じる復調データのセットは検出を増加させるように結合されてもよい。ページメッセージが検出された後、付加復調資源は、より複雑なページメッセージあるいは他の情報チャネルを処理するために作動されてもよい。本発明の一実施形態では、サーチャは、フィンガー要素を使用しないでクイックページ検出を実行し、アイドルモード電力消費を減らす復調器を含んでいる。
【０００６】
【発明の実施の形態】
ページングメッセージを検出する新規で、改良された方法および装置が記載されている。ここに記載されている典型的な実施形態は、ディジタルセルラ電話システムに関して詳述される。この状況内の使用は有利であるが、本発明の異なる実施形態は異なる環境あるいは構成に組み込まれてもよい。一般に、ここに記載されているいろいろのシステムは、ソフトウェア制御プロセッサ、集積回路、あるいは個別論理を使用して形成されてもよいが、集積回路の実装が好ましい。用途を通じて参照されてもよいデータ、命令、コマンド、情報、信号およびチップは、有利なことには、電圧、電流、電磁波、磁界あるいは粒子、光フィールドあるいは粒子、あるいはその組み合わせによって示される。さらに、各ブロック図に示されたブロックは、ハードウェアあるいは方法工程を示してもよい。
【０００７】
図１は、本発明の使用により構成されるセルラ電話システムの非常に簡単なブロック図である。移動電話および他の通信システム（加入者装置）１０は、基地局コントローラ（ＢＳＣ）１４に結合される基地局１２内にある。移動交換局ＭＳＣ１６は、ＢＳＣ１４を公衆電話交換網（ＰＳＴＮ）１８に接続する。作動中、いくつかの移動電話は、他の移動電話がページメッセージに対して監視するアイドルモード、あるいはスタンバイモードである間、基地局１２とインタフェースによって電話呼び出しを行う。
【０００８】
いくつかのＣＤＭＡ通信プロトコルの使用により、加入者装置１０は、ソフトハンドオフにおいて２つの基地局１２と同時にインタフェースできる。ＣＤＭＡ技術を使用するセルラ電話を作動するシステムおよび方法は、本発明の譲渡人に譲渡され、参照することによりここに組み込まれている名称が「ＣＤＭＡセルラ電話システムで信号波形を発生するシステムおよび方法」である米国特許第５，１０３，４５９号（’４５９特許）に記載されている。’４５９特許は、エアインタフェース規格によるＩＳ‐９５の使用により実質的に構成される。
【０００９】
さらに、本発明の一実施形態では、加入者装置１０のページングは、本発明の譲渡人に譲渡され、参照することによりここに組み込まれている名称が「デュアルチャネルスロットページング」である米国特許出願第０８／８６５，６５０号および０８／８９０，３５５号の両方に記載されたページング方法により実質的に実行される。これらの特許出願では、削減符号化チャネルを介して送信されたクイックページングメッセージ（クイックページ）の使用が記載される。１つあるいはそれ以上のクイックページは、フルページメッセージ（フルページ）によって加入者装置がページ監視時間を減らすことができるので、スタンバイ電力消費を減らすことができる前に送信される。加入者装置が正クイックページを受信しない場合、加入者装置はフルページを監視しなく、それによってアイドルモード電力消費を減らす。
【００１０】
図２は、本発明の一実施形態によりＣＤＭＡ信号を処理するために使用される復調器のブロック図である。受信（Ｒｘ）サンプルは、ＲＦ信号を受信し、ＲＦ信号をベースバンドにフィルタリングし、ダウンコンバートし、ディジタル化するＲＦ／ＩＦシステム１９０およびアンテナシステム１９２によって発生される。このサンプルはｍｕｘ２０２およびサンプルＲＡＭ２０４に供給される。ｍｕｘ２０２の出力は、制御装置２１０に結合されたサーチャ装置２０６およびフィンガー要素２０８に供給される。結合器２１２は、デコーダ２１４をフィンガー要素２０８に結合する。一般的には、制御装置２１０は、ソフトウェアによって制御されたマイクロプロセッサであり、同じ集積回路あるいは別個の集積回路上にあってもよい。
【００１１】
動作中、受信サンプル（サンプル）は、サンプルＲＡＭ２００に記憶され、ｍｕｘ２０２に加えられる。ｍｕｘ２０２は、実時間サンプルあるいは記憶サンプルのいずれかをサーチャ装置２０６およびフィンガー要素２０８に供給する。制御装置２１０は、サーチャ装置２０８からのサーチャ結果に基づいて異なる時間オフセットで復調を実行するようにフィンガー要素２０８を構成する。復調の結果は、結合され、データを出力するデコーダ２１４に送られる。
【００１２】
一般に、サーチャ２０８によって実行されるサーチは、いろいろのセクタ、基地局およびマルチパスに対応するタイミング仮説を試験するためにパイロットチャネルの非コヒーレント復調を使用するのに対してフィンガー要素２０８によって実行される復調は、データチャネルのコヒーレント復調によって実行される。非コヒーレント復調はキャリア位相情報を必要としなくて、信号に含まれるデータよりもむしろ信号エネルギーを検出する（所定の波形の形式の場合）。コヒーレント復調は、位相情報、したがって信号についてのより多くの情報を必要とするが、信号で送信されたデータを決定できる。この用途を通じて、用語復調だけはコヒーレント復調を指しているのに対して、サーチは非コヒーレント復調を指している。本発明の一実施形態では、逆拡散は、単一タイミング仮説で受信サンプルをＰＮシーケンスおよび割り当てられたウォルシュ関数の複素共役と掛け、結果として生じるサンプルをしばしば集積およびダンプアキュムレータ回路でディジタル的にフィルタリングすることによって実行される。
【００１３】
本発明の一実施形態では、サンプルＲＡＭに記憶されたサンプルのパイロットチャネルサーチおよびページングチャネルの復調の両方を実行する強化サーチャが備えられる。復調およびサーチはいろいろの時間オフセットで実行でき、復調の結果は、ページメッセージが受信されたかどうかを決定するために結合される。好ましくは、サーチャによって復調されたページチャネルは、上記で参照されたデュアルチャネルページング用途に示されたクイックページングチャネルと同様である。メッセージ持続期間は、クイックページングに対して小さく（１．２２８８Ｍｃｐｓで２８あるいは２５６のＰＮチップは１０４あるいは２０８マイクロ秒である）、必要なデスキューは小さく（約１００〜４００マイクロ秒）、必要とされる受信サンプルは、電力を節約するために容易にバッファリングされ、「オフライン」で処理される。
【００１４】
図３は、本発明の一実施形態によるアイドルモード中図２の復調器の動作を示すフローチャートである。アイドルモードは、加入者装置が電源を入れるが呼び出しを行わない状態である。アイドルモード中、加入者装置は、向けられたページングメッセージを監視する。このページングメッセージは、着信通信あるいは電話呼び出しを指示してもよい。前述のように、本発明は、デュアルチャネルページング用途に示されているような２つのチャネルページングシステムに関して記載されている。
【００１５】
工程３００で、加入者装置は、受信サンプルを収集し、加入者装置に割り当てられたクイックページングスロット中に工程３０２で記憶した。一実施形態では、収集は、ＲＦ／ＩＦ装置１９０を作動し、サンプルをサンプルＲＡＭに記憶し、次にＲＦ／ＩＦシステム１９０を非作動にすることによって実行される。一般的には、加入者装置は、単一クイックページングスロットよりも長い持続時間サンプルを収集するので、多重時間オフセット信号が受信サンプルのセット内に記憶される。
【００１６】
工程３０４で、（図２の）サーチャ装置２０６は、いろいろの時間オフセットで記憶サンプルのパイロットサーチを実行する。さらに、パイロットサーチは、異なる信号に対して実行されてもよい。例えば、サーチは、異なるパイロットコードを使用するかあるいはパイロットコードを異なってオフセットする異なる基地局からの信号に対して実行される。ローカル最大値が所定の閾値以上で検出される場合、結合機能は特定のサーチ窓に対して使用可能にされ、結果として生じる仮説は復調され、結合される。一旦サーチリストの全ての仮説が完了されると、工程が行われる。
【００１７】
本発明の一実施形態では、マルチパス信号のセットの時間オフセットをカバーするのに十分大きいサンプルＲＡＭ３０２を有することが好ましい。したがって、異なるオフセットで同じサンプルのセットを単にサーチすることによって異なるパイロットが検出される。同様に、同じサンプルのセットは、クイックページを処理するために異なるオフセットで復調されてもよい。一方、コヒーレント信号送出のために設計されたクイックページチャネルは、より良い性能を提供するので多数の場合に好ましい。クイックページングシステムは非コヒーレント信号送出に対してもまた設計されてもよい。
【００１８】
工程３０６で、サーチャ２０６は復調モードに切り替えられ、サーチモード中検出された各信号と関連したページングチャネルは、クイックページが受信されたかどうかを決定するために復調される。クイックページは、サーチ中検出されたパイロットチャネルのセットに対応するページングチャネルのセットのコヒーレント復調を実行することによって処理される。したがって、本発明の一実施形態では、クイックページチャネルは、サーチが実行された後、サーチャ内で復調される。各復調は、サンプル内の特定のオフセットで実行され、結果として生じる復調ソフト決定データのセットは、サーチャ２０６内のアキュムレータを使用してダイバシティ結合される。
【００１９】
工程３０８で、結合復調データは、正のクイックページが受信されたかどうかを決定するために検査される（すなわち、下記のフルページングメッセージを示すデータはこの加入者装置１０に向けられてもよい）。受信されない場合、加入者装置は工程３００に戻る。受信された場合、フィンガー要素２０８、デコーダ２１４およびＲＦ／ＩＦ装置１９０は、工程３１０で作動され、フルページは工程３１２で処理される。本発明の他の実施形態では、加入者装置は、他のパイロットのためのサンプルをサーチし続け、新しい信号を探し、次のページングスロットが生じる場合に処理する。さらに、クイックページングチャネルが十分な品質で受信されなかった場合、工程３１０は、フルメッセージが消失なかったことを保証するためにとにかく実行される。
【００２０】
サーチャ装置２０６内のサーチおよびクイックページ処理の両方を実行することによって、クイックページングチャネルは、正のクイックページが受信されるまで、フィンガー要素を作動する必要がなく監視できる。一般に、大部分のクイックページメッセージは負であり、呼び出しあるいはメッセージが未決定でないことを示している。したがって、フィンガー要素２０８および他の回路が作動される時間が著しく減少される。したがって、クイックページチャネル監視を実行するために使用される回路を減らすことは加入者装置１０のスタンバイ時間を増加させる。
【００２１】
この回路の減少は、クイックページングチャネルおよびクイックページメッセージの減少された符号化レベルを利用し、処理するための受信サンプルを記憶することによって行われる。この減少された符号化によって、クイックページングチャネルの復調は限られた量の復調機能性で、したがってサーチャの限られた付加的な複雑さで実行される。さらに、サンプルＲＡＭ２０４の使用によって、多重時間オフセット復調は、ページングメッセージを監視するのに必要な回路をさらに減らす、サーチャ２０６内の単一復調エンジンを使用して実行できる。
【００２２】
付加電力節約は、記憶サンプルを使用するサーチおよびページチャネル監視を実行することによって実現される。一実施形態では、クイックページングチャネルは、１回あるいは２回送信される未符合化ＢＰＳＫあるいはＯＯＫビットである。特に、ＲＦ／ＩＦ装置１９０が各ページサイクル中に作動する時間は、サンプルが発生される場合にサンプルを記憶することによって減少される。一旦サンプルが記憶されると、加入者装置は、ＲＦ／ＩＦ装置を非作動にし、電力を保存し、異なるオフセットあるいは異なるパイロット信号、もしくは両方でディジタル回路だけを使用して繰り返してサンプルをサーチする。
【００２３】
前述されるように、一旦最初のサンプルセットが集められると、同じサンプルの異なるサーチを実行することによって、ＲＦ装置は、ターンオフできる。ＲＦ装置をターンオフすることは、アイドルモード中移動電話の電力消費を減らす。それに反して、サンプルが記憶されない場合、付加サンプルは、いろいろのパイロット信号および時間オフセットをサーチすることが必要である限り集められなければならない。このパイロットデータの連続収集は、ＲＦ装置をオンのままにする必要があるので、加入者装置１０のスタンバイ時間を減らすより長い時間電力を消費する。
【００２４】
示された本発明の実施形態は、改良されたアイドルモード電力消費と同じように性能強化を行う。特に、同じサンプルのセットの復調およびサーチを実行することによって、復調の性能が改良される。これは、パイロットチャネルサーチによって測定されるような最適の信号がページングチャネル復調のための最適の信号であり、サンプルのセットが同じであるためである。代替のシステムでは、サーチは、第１のサンプルのセットで実行され、このサーチの結果は、いかに第２のサンプルのセットのページングチャネルを復調するかどうかを決定するために使用される。２つの事象間の時間スパンが小さい場合、サーチ結果とページングチャネル特性との間の対応関係が一般的には妥当であるが、同じサンプルのサーチおよび復調を行うことによるフェージングチャネル非相関時間に比べた場合、サーチと復調との間のチャネルのいかなる差も事実上除去される。
【００２５】
図４は、本発明の一実施形態に従って構成される場合のサーチャ２０６のブロック図である。同相および直角位相のサンプルは、サンプルＲＡＭ３０２（図２）から読み出され、ＰＮコードが同相部（ＰＮＩ）および直角位相部（ＰＮＱ）で構成されるＰＮコード発生器からのＰＮコードを使用してＱＰＳＫ逆拡散変調器４０２によって逆拡散変調される。ＱＰＳＫ逆拡散変調器４０２からの結果として生じる同相成分および直角位相成分は、乗算器４０６ａ〜４０６ｄに加えられる。サンプルＲＡＭ後の処理は、最初のチップ速度に関連しない１９ＭＨｚのような任意のクロック周波数で生じてもよい。
【００２６】
サーチモード中、ウォルシュコード発生器４０８および４１０は、乗算器４０６ａ〜４０６ｄに加えられるパイロットチャネルウォルシュコードを発生する。乗算器４０６ａ〜４０６ｄおよびアキュムレータ４０８ａ〜４０８ｄは、一緒に作動し、逆拡散変調サンプルをパイロットウォルシュコード発生器４０８からのパイロットウォルシュコードでデカバーする。ＱＰＳＫ逆拡散変調器およびウォルシュ乗算は、順に生じるかあるいは同等な結果を得るための単一動作として統合されてもよい。
【００２７】
アキュムレータ４０８ａおよび４０８ｂからのデカバーされたパイロットサンプルは、乗算器４２０および４２２に２度加えられる。すなわち、一度は直接に一度はマルチプレクサ４２２を介して加えられる。この結果は、デカバーされたパイロットサンプルが平方にされ、平方にされた出力は加算器４１２によって加算されるということである。したがって、サーチモードでは、デカバーされたパイロットデータのドット積は計算され、したがって現オフセットのパイロットチャネルの相関エネルギーが計算される。
【００２８】
同様に、アキュムレータ４０８ｃおよび４０８ｄからのデカバーされたパイロットサンプルは、その出力が加算器４１２によって加算される平方回路４１０に加えられる。したがって、平方回路４１０および加算器４１２は、それ自体で、デカバーパイロットデータのドット積、したがって現オフセットのパイロットチャネルの相関エネルギーを計算するように作動する。
【００２９】
加算器４１２および４２２からのドット積は、ローカル最大値計算器４１４によって受信される。ローカル最大値計算器４１４は、相関エネルギーに基づいてサーチャによって試みされたオフセットのセット（あるいは仮説）からの最も可能性があるオフセットを決定する。例えば、ローカル最大値計算器４１４は、真のオフセットに最も近いサンプルを分離するためにオーバーサンプリング相関エネルギーのセットのローカル最大エネルギーを節約できる。乗算器４０６ａおよび４０６ｂおよびアキュムレータ４０８ａおよび４０８ｂは、一緒に作動し、逆拡散変調サンプルをクイックページウォルシュコード発生器からのクイックページングウォルシュコードでデカバーする。
【００３０】
オフセットのセットは、ＰＮコードおよびウォルシュコードのタイミングはサンプルに対して調整されるとき発生される。典型的なサーチでは、ＰＮコードおよびウォルシュコードは、特定のサーチ領域の周りにわずかの増分で調整される。一般的には、コード発生器は、開始オフセットおよび最終オフセットでサーチ領域も規定する制御システムによって構成される。この制御システムは、メモリに記憶されたソフトウェアによって制御されるマイクロプロセッサあるいはディジタル信号プロセッサであってもよい。
【００３１】
Ｎの最大値トラッカ４１６は、異なるサーチ領域のためのＮの最大相関エネルギーのセットを収集する。Ｎは整数であり、好ましくは、範囲４〜１６の範囲にある。信号源のダイバシティのようなサーチ結果を収集する他の基準の使用は、本発明の使用と一致する。結果として生じる相関エネルギーおよび関連オフセット（サーチ結果）のセットは制御システムに報告される。
【００３２】
本発明の典型的な実施形態では、一旦サーチ動作が実行されると、制御システムは、サーチ結果に基づいて信号およびオフセットのセットに対するページングチャネルの復調を実行するためにサーチャを構成する。ページングチャネル（好ましくはクイックページチャネル）の復調を実行するために、ウォルシュ発生器４１０は、ページングチャネルウォルシュコードを生成するために構成され、マルチプレクサ４２３は、アキュムレータ４０８ｃおよび４０８ｄの出力を乗算器４２０に加えるように構成される。さらに、アキュムレータ４０８ａおよび４０８ｂは、ビット持続期間にわたって正確に統合するように構成される。
【００３３】
復調される各信号に対して、制御システムは、特定のオフセットでＰＮ発生器およびウォルシュ発生器を構成し、このサンプルは再度復調される。アキュムレータ４０８ａおよび４０８ｂからのクイックページングチャネルデカバーサンプルは、乗算器４２０に加えられる。さらに、パイロットチャネルデカバーサンプルは、ｍｕｘ４２３を介して乗算器４２０に加えられる。
【００３４】
パイロットデータおよびページングデータのドット積を実行するために、乗算器４２０の出力は、加算器４２２によって加算され、結果として生じる投影クイックページングチャネルソフト決定データは、ラッチ４２４によって受信される。クロス積操作方法あるいは他の位相回転方法の使用を含むキャリア位相に対して調整するいろいろの他の方法が明らかである。ドット積は、パイロットと同相であり、結合するためにパイロットを重み付けるデータを回復する。次に、ラッチ４２４の出力は、結合器アキュムレータ４２６によって受信される。復調される各信号に対して、アキュムレータ４２６は復調結果において加算する。一旦信号のセットが復調されると、結合クイックページデータは、累算されたソフト決定データに基づいてハード決定を行うことによって送信されたデータを概算する制御システムに出力される。ハード決定に基づいてクイックページが送信されたかどうかを決定される。
【００３５】
さらに、本発明の一実施形態では、デカバーパイロットチャネルデータからのエネルギーは、ドット積操作を実行することによって再度計算され、結果として生じるパイロットエネルギーは、各信号に対するアキュムレータ４２６によって累算される。累算パイロットエネルギーは制御システムに転送される。
【００３６】
本発明の一実施形態では、制御システムは、累算パイロットエネルギーに基づいたクイックページングデータによるかどうかを決定する。累算パイロットエネルギーが所定の閾値以上である場合、クイックページングチャネル結果による。そうでなければ、次のクイックページスロットは処理されるかあるいはフルページングチャネルは処理される。前述のように、パイロットチャネルおよびページングチャネルを処理するために同じサンプルを使用することは、復調性能を改善するチャネルは２つの処理に対して同じであることを保証する。
【００３７】
したがって、ページ監視を実行するシステムおよび方法が示されている。好ましい実施形態の前述の説明は、当業者が本発明を製造するかあるいは使用することができるために備えられている。これらの実施形態のいろいろの変更は、当業者に容易に明らかであり、ここに規定された一般原理は本発明の機能を使用しないで他の実施形態に適用されてもよい。したがって、本発明は、ここに示された実施形態に限定されることを目的としないで、ここに開示された原理および新規の機能と一致する最も広い範囲に一致すべきである。
【図面の簡単な説明】
本発明の機能、目的および長所は、同じ参照文字が相応して全部識別する図面とともに行われる場合に前述される詳細な説明からより明らかになる。
【図１】  本発明の一実施形態により構成されたセルラ電話システムである。
【図２】  本発明の一実施形態により構成された加入者装置のブロック図である。
【図３】  本発明の一実施形態により実行された場合の加入者装置内で実行された処理を示すフローチャートである。
【図４】  本発明の一実施形態により構成された場合のサーチのブロック図である。
【符号の説明】
１０  …  通信システム
１２  …  基地局
１４  …  基地局コントローラ
１６  …  移動交換局
１８  …  公衆電話交換網
１９０  …  ＲＦ／ＩＦシステム
１９２  …  アンテナシステム
２００  …  サンプルＲＡＭ
２０２  …  ＭＵＸ
２０４  …  サンプルＲＡＭ
２０６  …  サーチャ装置
２０８  …  フィンガー要素
２１０  …  制御装置
２１２  …  結合器
２１４  …  デコーダ
３０２  …  サンプルＲＡＭ
４０２  …  逆拡散変調器
４０６ａ〜４０６ｄ  …  乗算器
４０８  …  ウォルシュコード発生器
４０８ａ〜４０８ｄ  …  アキュムレータ
４１０  …  平方回路
４１２  …  加算器
４１４  …  ローカル最大値計算器
４１６  …  トラッカ
４２０  …  乗算器
４２２  …  加算器
４２３  …  マルチプレクサ
４２４  …  ラッチ
４２６  …  アキュミュレータ
【図１】
0004350904.tif 000002
【図２】
0004350904.tif 000003
【図３】
0004350904.tif 000004
【図４】
0004350904.tif 000005